(57)【要約】      （修正有）【課題】サイドガゼットタイプのガゼット袋において、内容物を収容した際に、底面の底シール部周辺が下方へ突出した状態であっても、自立性に優れたガゼット袋を提供する。【解決手段】対向する表裏一対の主面部材２と、前記主面部材２の両側縁から内側に折り込まれる一対の側面部材３とを備えたサイドガゼットタイプのガゼット袋１であって、前記主面部材２の下縁部には、前記主面部材２が互いにシールされた底シール部５が形成され、その両側に前記主面部材２と前記側面部材３とがシールされた斜めシール部６が上方に側縁まで形成されており、前記主面部材２の両側縁には、前記主面部材２と前記側面部材３とがシールされた側縁シール部４が形成されており、一方の前記主面部材２の前記側縁シール部４から他方の前記主面部材２の前記側縁シール部４を連結してなる連結部９が左右に少なくとも一対形成されていることを特徴とするガゼット袋１。【選択図】図１
2012210978.tif 000002
【特許請求の範囲】
【請求項１】
対向する表裏一対の主面部材と、前記主面部材の両側縁から内側に折り込まれる一対の側面部材とを備えたサイドガゼットタイプのガゼット袋であって、
前記主面部材の下縁部には、前記主面部材が互いにシールされた底シール部が形成され、その両側に前記主面部材と前記側面部材とがシールされた斜めシール部が上方に側縁まで形成されており、
前記主面部材の両側縁には、前記主面部材と前記側面部材とがシールされた側縁シール部が形成されており、
一方の前記主面部材の前記側縁シール部から他方の前記主面部材の前記側縁シール部を連結してなる連結部が左右に少なくとも一対形成されており、
前記ガゼット袋を折り込んだ状態において、前記側縁シール部の内縁から前記連結部に形成される折り曲がり部の内方側の内端までの幅方向の距離Ｌ１が、前記底シール部の内縁から前記側縁シール部の内縁と前記斜めシール部の内縁との交点までの高さ方向の距離Ｌ２よりも短くなるように形成されていることを特徴とするガゼット袋。
【請求項２】
前記連結部が、一方の前記主面部材側から形成された第一連結部材と、他方の前記主面部材側から形成された第二連結部材と、両連結部材を結合する結合部とを備えており、
前記ガゼット袋を折り込んだ状態において、前記結合部の内端が前記折り曲がり部の内方側の内端となされている請求項１に記載のガゼット袋。
【請求項３】
前記側縁シール部の内縁と前記斜めシール部の内縁との交差部分がアール形状に形成され、前記側縁シール部の内縁における前記アール形状の開始点での接線と前記斜めシール部の内縁における前記アール形状の開始点での接線とによる交点が前記側縁シール部の内縁と前記斜めシール部の内縁との交点となされている請求項１から２のいずれかに記載のガゼット袋。
【発明の詳細な説明】
【技術分野】
【０００１】
本発明は種々の液体及び粘稠体等を内容物として収容されるガゼット袋に関する。
【背景技術】
【０００２】
例えば、この種のガゼット袋としては、表裏一対のシートにその両側縁から内側に二つ折りにした側面シートを挟み込んで、側面シートの周縁が表裏シートとヒートシールされ、かつ、表裏シート相互間の上縁部及び下縁部がヒートシールされたサイドガゼットタイプのガゼット袋が提供されている（例えば、下記特許文献１参照）。
【０００３】
サイドガゼットタイプのガゼット袋を店頭などで陳列のため自立させるには、下縁部に形成された反発力の大きな底シール部を表裏シートのどちらか一方に沿わせるように折り曲げる必要がある。
【０００４】
さらに、反発力の大きな底シール部をできるだけ小さくするために、底シール部の両側に形成される隅角部を切除したガゼット袋が提案されている（例えば、下記特許文献２参照）。
【０００５】
図１１に示すように、ガゼット袋２０に内容物を収容したとき、折り込まれた側面シート２１が展開し、それに伴い、表裏シート２２が展開し、底面２３が形成される。この底面２３において、表裏シート２２は底シール部２４の内縁２５まで完全に展開せず、内縁２５より僅かに収容部側（内側）までしか展開しないことが多い。このため、底シール部２４の内縁２５付近が緩やかに折り曲がり、底シール部２４が下方向へ大きく膨らむことになり、ガゼット袋２０の底面２３が平坦には形成されない。このことにより、ガゼット袋２０を自立させたときに、図１２に示すように、底面２３の四隅全てが水平面に接した状態にはならず、がたつきが生じ、ガゼット袋２０が自立安定性に欠けるといった問題がある。特に、内容量が比較的少量の小型ガゼット袋や内容物の残量が少量となったガゼット袋では、自重だけでは底シール部が起き上がろうとする反発力を抑えることができず、安定した自立性を獲得するに至っていない。
【先行技術文献】
【特許文献】
【０００６】
【特許文献１】特開平１０−７２０４４号公報
【特許文献２】特開平１１−９１７９８号公報
【発明の概要】
【発明が解決しようとする課題】
【０００７】
本発明はこのような従来技術の実情に鑑みてなされたものであり、サイドガゼットタイプのガゼット袋において、内容物を収容した際に、底面の底シール部周辺が下方へ突出した状態であっても、自立性に優れたガゼット袋を提供することを課題とする。
【課題を解決するための手段】
【０００８】
本発明者らは上記課題を解決すべく、鋭意研究を重ねた結果、本発明に係るガゼット袋は、対向する表裏一対の主面部材と、前記主面部材の両側縁から内側に折り込まれる一対の側面部材とを備えたサイドガゼットタイプのガゼット袋であって、前記主面部材の下縁部には、前記主面部材が互いにシールされた底シール部が形成され、その両側に前記主面部材と前記側面部材とがシールされた斜めシール部が上方に側縁まで形成されており、前記主面部材の両側縁には、前記主面部材と前記側面部材とがシールされた側縁シール部が形成されており、一方の前記主面部材の前記側縁シール部から他方の前記主面部材の前記側縁シール部を連結してなる連結部が左右に少なくとも一対形成されており、前記ガゼット袋を折り込んだ状態において、前記側縁シール部の内縁から前記連結部に形成される折り曲がり部の内方側の内端までの幅方向の距離Ｌ１が、前記底シール部の内縁から前記側縁シール部の内縁と前記斜めシール部の内縁との交点までの高さ方向の距離Ｌ２よりも短くなるように形成されていることを特徴とする。
【０００９】
これによれば、ガゼット袋に内容物を収容したとき、主面部材が底シール部の内縁まで展開しないときでも、側縁シール部に設けられた連結部によって、底面の四隅近傍におけるガゼット袋の厚み方向の広がりが僅かに狭められるため、底面の全ての四隅近傍が下方に突出し、自立性に優れたガゼット袋を提供できる。また、ガゼット袋の設計が容易で、製袋工程が煩雑にならず、安価にガゼット袋を製造可能である。
【００１０】
また、前記連結部が、一方の前記主面部材側から形成された第一連結部材と、他方の前記主面部材側から形成された第二連結部材と、両連結部材を結合する結合部とを備えており、前記ガゼット袋を折り込んだ状態において、前記結合部の内端が前記折り曲がり部の内方側の内端となされているものであってもよい。これによれば、自立性に優れたガゼット袋を簡単な構成によって提供することができる。
【００１１】
また、前記側縁シール部の内縁と前記斜めシール部の内縁との交差部分がアール形状に形成され、前記側縁シール部の内縁における前記アール形状の開始点での接線と前記斜めシール部の内縁における前記アール形状の開始点での接線とによる交点が前記側縁シール部の内縁と前記斜めシール部の内縁との交点となされているものであってもよい。
【００１２】
これによれば、側縁シール部の内縁におけるアール形状の開始点での接線と斜めシール部の内縁におけるアール形状の開始点での接線とによる交点が側縁シール部の内縁と斜めシール部の内縁との交点となされるため、交差部分がアール形状であってもガゼット袋を安定して自立させることができる。
【発明の効果】
【００１３】
本発明によれば、ガゼット袋に内容物を収容したとき、主面部材が底シール部の内縁まで完全に展開しないときでも、側縁シール部に設けられた連結部によって、底面の四隅近傍におけるガゼット袋の厚み方向の広がりが僅かに狭められるため、底面の四隅近傍が下方に突出し、自立性に優れたガゼット袋を提供できる。また、ガゼット袋の設計が容易で、製袋工程が煩雑にならず、簡単な構成によって、安価にガゼット袋を製造可能である。
【図面の簡単な説明】
【００１４】
【図１】第１の実施形態のガゼット袋を折り込んだ状態の正面図である。
【図２】第１の実施形態のガゼット袋を折り込んだ状態の連結部の要部平面図である。
【図３】第１の実施形態のガゼット袋に内容物を収容した状態を示す要部斜視図である。
【図４】第１の実施形態のガゼット袋に内容物を収容した状態を示す要部側面図である。
【図５】第１の実施形態のガゼット袋を自立させた状態を示す要部側面図である。
【図６】第２の実施形態のガゼット袋を折り込んだ状態の正面図である。
【図７】第２の実施形態のガゼット袋に内容物を収容した状態を示す要部斜視図である。
【図８】第２の実施形態のガゼット袋に内容物を収容した状態を示す要部側面図である。
【図９】第２の実施形態のガゼット袋を自立させた状態を示す要部側面図である。
【図１０】第３の実施形態のガゼット袋を折り込んだ状態の（ａ）要部正面図、および（ｂ）そのさらなる要部正面図である。
【図１１】従来のガゼット袋に内容物を収容した状態を示す要部側面図である。
【図１２】従来のガゼット袋を自立させた状態を示す要部側面図である。
【発明を実施するための形態】
【００１５】
以下、本発明をその好ましい実施形態に基づき図面を参照して説明する。ここで、図１の左右方向をガゼット袋の幅方向、上下方向を高さ方向、前後方向を厚み方向とする。
【００１６】
＜第１の実施形態＞
本発明の第１の実施形態について図１から図５を参照しつつ説明する。本発明の第１の実施形態のガゼット袋１は、図１に示すように、表面部材２ａと裏面部材２ｂとからなる一対の主面部材２と、主面部材２の両側縁から内側に折り込まれて、サイドガゼット部を形成する右側面部材３ｃと左側面部材３ｄとならなる一対の側面部材３とからなる。
【００１７】
主面部材２及び側面部材３は、可撓性のフィルムまたはシートからなり、少なくとも片面にシーラント層が形成されている。例えば、最外層から、数μｍから２５μｍのポリエチレンテレフタレートフィルム、数μｍから３０μｍのナイロンフィルム、および数１０μｍから２００μｍのポリエチレンフィルムからなる積層フィルムである。
【００１８】
可撓性のフィルムまたはシートにはさらにバリア層として、金属箔または金属もしくは無機酸化物の蒸着薄膜層を設けることもできる。金属箔としては、アルミニウム、銅、鉄、ステンレス等が使用できる。金属の蒸着薄膜層としてはアルミニウム、クロム、亜鉛、金、銀、プラチナ、ニッケル等が使用できる。無機酸化物の蒸着薄膜層としては、酸化珪素（ＳｉＯｘ）、アルミナ等が使用できる。
【００１９】
可撓性のフィルムまたはシートの構成や厚みは特に限定されるものではなく、内容物の性状に合わせて、酸素バリア性や水蒸気バリア性等を具備させた設計が適宜可能である。
【００２０】
主面部材２は、表面部材２ａと裏面部材２ｂのシーラント層が互いに面するように重ね合わされる。側面部材３は、シーラント面が主面部材２のシーラント面と面するように高さ方向に沿って折り込み線３０によって二つに折り込まれ、主面部材２の両側縁から表面部材２ａと裏面部材２ｂの間に挿入されている。主面部材２の両側縁が側面部材３の周縁とヒートシールされることにより側縁シール部４が高さ方向に沿って４ヶ所形成されている。
【００２１】
主面部材２の下縁部の中央部には、主面部材２を構成する表面部材２ａと裏面部材２ｂとの下縁部を互いにヒートシールすることにより底シール部５が形成されている。さらに、底シール部５の長手方向両側には、斜め上方に側縁シール部４まで延びる斜めシール部６が形成されている。斜めシール部６は主面部材２と側面部材３とをヒートシールすることに形成されている。
【００２２】
斜めシール部６は底シール部５に対する角度αが３０〜５０度を成すように形成されるのが好ましい。３０〜５０度の範囲では、内容物を収容し落下させたとき、落下による衝撃がガゼット袋の特定の部分へ集中することを防止できるため破袋し難くなるからである。なお、斜めシール部６は直線に限定されるものではなく、曲線状などであってもよい。
【００２３】
底シール部５の内縁には底シール部５の反発力を抑えるために罫線を設けることもできる。罫線は、熱成形により形成させたり、単に折り曲げることによっても形成させることができる。
【００２４】
主面部材２の上縁部には、主面部材２を構成する表面部材２ａと裏面部材２ｂとの上縁部を相互にヒートシールすることにより天シール部７が形成されている。
【００２５】
さらに、天シール部７の長手方向両側には、斜め下方に側縁シール部４まで延びる肩シール部８を形成することもできる。肩シール部８は主面部材２と側面部材３とをヒートシールすることに形成される。肩シール部８は直線に限定されるものではなく、アール形状であってもよい。
【００２６】
ガゼット袋１には注出口を設けることができる。注出口は、プラスチック製のスパウト等の注出部材１１を使用できる。注出部材１１は下半部に設けられたシール部を、主面部材２とヒートシールすることにより固定されている。注出部材１１の上部にはネジにより蓋栓１２を装着することができる。
【００２７】
注出部材１１は、ガゼット袋１の幅方向中央である天シール部７の長手方向中央部に設けられるのが、自立安定性の観点から好ましい。しかしながら、特に限定されるものではなく、肩シール部８、側縁シール部４、主面部材２、側面部材３に融着、接着、その他方法により設けられてもよい。
【００２８】
ガゼット袋１の内容量は特に限定されるものではないが、底シール部の反発力をガゼット袋の重量では抑えることが困難である、比較的少容量の５０ｃｃ〜３０００ｃｃに適している。
【００２９】
図３に示すように、一方の主面部材２の側縁シール部４から他方の主面部材２の側縁シール部４を連結してなる連結部９が、ガゼット袋１に内容物を収容した状態で、側面に沿うように、ガゼット袋１の左右に一対形成されている。
【００３０】
図１、図２に示すように、ガゼット袋１を折り込んだ状態において、側縁シール部４の内縁Wから連結部９に形成される折り曲がり部Ｘ０の内方側の内端Ｘまでの幅方向の距離Ｌ１が、底シール部５の内縁Yから側縁シール部４の内縁Wと斜めシール部６の内縁Vとの交点Zまでの高さ方向の距離Ｌ２よりも短くなるように形成されている。図４に示すように、ガゼット袋１に内容物を収容し、水平面に自立させたときに、連結部９に弛みがなく張った状態になるように、連結部９に形成される折り曲がり部Ｘ０の内方側の内端Ｘの位置が設計されている。
【００３１】
連結部９は、主面部材２及び側面部材３または主面部材２または側面部材３から形成されてもよいし、別の部材を取り付けるものであってもよい。別の部材としては、可撓性のフィルムやシート、紙、金属などが挙げられるが特に限定されるものではなく、融着、接着、その他方法により取り付けられてもよい。
【００３２】
図５に示すように、ガゼット袋１に内容物を収容し、ガゼット袋１を水平面に自立させたとき、底シール部５の内縁まで主面部材２が展開しない状態であっても、連結部９によって、表面部材２ａと裏面部材２ｂが互いにガゼット袋１の厚み方向に連結されているため、ガゼット袋１の幅方向中央付近と比較して、底面１３の四隅近傍におけるガゼット袋１の厚み方向の膨らみを抑制することができる。その結果、側面部材３の底面稜線１４ｃ、１４ｄの中央の折り込み線３０付近を僅かに上方向に押し上げ、ガゼット袋１の底面１３の全ての四隅近傍が下方向に突出することとなる。ここで、底面１３の四隅近傍とは、底面１３の幅方向の全長の３分の１よりも四隅に近く、底面１３の厚み方向の全長の３分の１よりも四隅に近い領域をいう。
【００３３】
さらに、連結部９によって、ガゼット袋１を水平面に自立させたとき、ガゼット袋１の底面１３の四隅近傍での厚み方向の膨らみを抑制することにより、底面１３の張りが緩和され柔軟になり、底シール部５が底面１３に対して上方向（収容部側）に食い込みやすくなり、底シール部５付近の下方への突出を軽減することができる。
【００３４】
連結部９はガゼット袋１に内容物を収容し、自立させた状態において、底面１３から天シール部７の外縁までの高さに対して、５０％以下の高さの位置に設けられている。連結部９によって、主面部材間が連結され、ガゼット袋１の下半部の形状が安定することにより、ガゼット袋１の自立性が安定するためである。さらに、底面１３から天シール部７の外縁までの高さに対して、２５％以下の高さの位置に設けられるのが好ましい。より顕著に自立安定性が向上するからである。さらに、自立させた状態において、連結部９の下縁が水平面に接するような位置に設けるがより好ましい。底面１３の四隅と連結部９の下縁が水平面に接し、さらに、底面稜線１４付近の形状が安定することにより、より自立安定性が向上するからである。
【００３５】
よって、底面１３の全ての四隅近傍が常時、水平面に接した状態を保つことができるため、底シール部５の反発力が強くても、安定した自立性を獲得することができる。
【００３６】
また、シール部がヒートシールによって形成される場合について説明したが、接着剤、粘着剤あるいはその他の手段によって形成されたものでもよい。
【００３７】
＜第２の実施形態＞
次に、本発明に係るガゼット袋の第２の実施形態について図６から図９を参照しつつ説明する。以下の説明では、第１の実施形態と異なる構成について説明することとし、同一の構成については同一の符号を付し、その説明を省略する。
【００３８】
連結部９は、表面部材２ａ側から延びる第一連結部材９ａと、裏面部材２ｂ側から延びる第二連結部材９ｂと、それらの先端付近において第一連結部材９ａと第二連結部材９ｂとが結合される結合部９０とを備えており、ガゼット袋１を折り込んだ状態において、結合部９０の内端が折り曲がり部Ｘ０の内方側の内端Ｘとなされている。結合部９０は、ガゼット袋１を折り込んだときに重なり合うように、第一連結部材９ａと第二連結部材９ｂの内面どうしが合掌張りにより結合されている。結合方法は、融着、接着、その他方法を用いることができる。しかし、ポイントシールによって結合することが、製袋工程が容易となり、安価に製造可能で好ましい。また結合部９０の形状は直線状、丸形、半円形、多角形等、特に限定されるものではなく、その内端をＸとする。
【００３９】
図６に示すように、ガゼット袋１を折り込んだ状態において、側縁シール部４の内縁Wから結合部９０の内端Ｘまでの幅方向の距離Ｌ１が、底シール部５の内縁Yから側縁シール部４の内縁Wと斜めシール部６の内縁Vとの交点Zまでの高さ方向の距離Ｌ２よりも短くなるように形成されている。図９に示すように、ガゼット袋１に内容物を収容し、水平面に自立させたときに、連結部９の第一連結部材９ａおよび第二連結部材９ｂに弛みがなく張った状態になるように、結合部９０の内端Ｘの位置が設計されている。
【００４０】
ガゼット袋１に内容物を収容し、ガゼット袋１を水平面に自立させたとき、底シール部５の内縁まで主面部材２が展開しない状態であっても、連結部９によって、表面部材２ａと裏面部材２ｂが互いにガゼット袋１の厚み方向に連結されているため、ガゼット袋１の幅方向中央付近と比較して、底面１３の四隅近傍におけるガゼット袋１の厚み方向の膨らみを抑制することができる。その結果、側面部材３の底面稜線１４ｃ、１４ｄの中央の折り込み線３０付近を僅かに上方向に押し上げ、ガゼット袋１の底面１３の全ての四隅近傍が下方向に突出することとなる。
【００４１】
＜第３の実施形態＞
次に、本発明に係るガゼット袋の第３の実施形態について図１０を参照しつつ説明する。以下の説明では、上記各実施形態と異なる構成について説明することとし、同一の構成については同一の符号を付し、その説明を省略する。
【００４２】
図１０に示すように、ガゼット袋１の側縁シール部４の内縁Wと斜めシール部6の内縁Vとの交差部分がアール形状に形成されている。側縁シール部４の内縁におけるアール形状の開始点での接線ｍ１と斜めシール部６の内縁におけるアール形状の開始点での接線ｍ２とによる交点が、側縁シール部４の内縁Wと斜めシール部の内縁との交点Zとなされているものである。
【００４３】
上記各実施形態では、ガゼット袋１は、主面部材２及び側面部材３を合わせて４枚の別部材で構成されているものを説明した。しかしながら、実施形態に限定されるものではなく、１枚、２枚、３枚、５枚以上の部材で構成されたものであってもよい。
【符号の説明】
【００４４】
１  ガゼット袋
２  主面部材
２ａ  表面部材
２ｂ  裏面部材
３  側面部材
３ｃ  右側面部材
３ｄ  左側面部材
３０  折り込み線
４  側縁シール部
５  底シール部
６  斜めシール部
７  天シール部
８  肩シール部
９  連結部
９０  結合部
１１  注出部材
１２  蓋栓
１３  底面
１４  底面稜線
V  斜めシール部の内縁
Ｗ  側縁シール部の内縁
Ｘ０  折り曲がり部
Ｘ  折り曲がり部の内方側の内端、結合部の内端
Y  底シール部の内縁
Z  側縁シール部の内縁と斜めシール部の内縁の交点
【図１】
2012210978.tif 000003
【図２】
2012210978.tif 000004
【図３】
2012210978.tif 000005
【図４】
2012210978.tif 000006
【図５】
2012210978.tif 000007
【図６】
2012210978.tif 000008
【図７】
2012210978.tif 000009
【図８】
2012210978.tif 000010
【図９】
2012210978.tif 000011
【図１０】
2012210978.tif 000012
【図１１】
2012210978.tif 000013
【図１２】
2012210978.tif 000014